(57)【要約】【課題】既存の印字手段の内部配置を変更することなく、容易にかつ簡単に、印字された用紙を載置することができる印字装置を提供すること。【解決手段】印字装置を構成する筐体１の排出面を切欠いて開口部１１ａにし、その開口部１１ａに一対の係合凹部１１ｃを設け、この係合凹部１１ｃと係合した係合凸部１２ｂが突設され閉塞状態から外側に向かって所要角度回動可能に枢着されたトレイ１２１と、トレイ１２１に沿って平行に収納および起立可能に枢着されたストッパ１２２とで排出された用紙Ｐを外部で載置させるスタッカを構成する。【選択図】        図１
2005015189.tif 000002
【特許請求の範囲】
【請求項１】
印字を実行し印字された用紙を排出する排出部を有した印字手段と前記印字手段を被装する筐体とを備えた印字装置において、
前記排出部近傍の前記筐体の排出面を、外側に向かって開閉可能に構成して、排出された用紙を外部で載置させるスタッカとしたことを特徴とする印字装置。
【請求項２】
前記スタッカは、
前記排出面の一部を切欠いて形成した開口部の、その近傍に一対の係合凹部を設けると共に、
前記開口部を閉塞可能な所要の大きさの板状の基部両側面に前記係合凹部と係合可能な係合凸部が突設され閉塞状態から外側に向かって所要角度回動可能に前記係合凹部に枢着されたトレイと、
前記トレイに沿って平行に収納および起立可能に前記先部に枢着され排出された用紙を揃えるストッパと、
を備えてなることを特徴する請求項１記載の印字装置。
【請求項３】
前記係合凸部は、外観視略方形状を呈すると共に、
前記係合凹部は、前記係合凸部を遊嵌して前記トレイを上下方向にスライド可能及び回動可能に形成された所要幅の第１係合凹部と、前記第１係合凹部から連続するように高さ方向に亘って複数横設され前記係合凸部と係合させて前記トレイを所要の高さでもって突出保持させる第２係合凹部とで構成されたことを特徴とする請求項２記載の印字装置。
【請求項４】
前記ストッパは、前記トレイを跨ぐように外観視略門型状に形成されその突出した基部に前記トレイと係合する枢軸を設けてなると共に、
前記トレイは、該両側面に前記枢軸と係合し起立状態の前記ストッパを前記トレイの先部から基部に亘ってスライド可能に案内・保持すると共に前記トレイの先部で前記トレイに沿って平行に収納可能なスライド溝を設けてなることを特徴とする請求項２または３記載の印字装置。
【発明の詳細な説明】
【０００１】
【発明の属する技術分野】
この発明は、印字装置に関し、さらに詳しくは、印字を実行し印字された用紙を所定長さに切断して排出する印字手段を被装する筐体の改良に関する。
【０００２】
【従来の技術】
ラベルプリンタなどの小型の印字装置において、従来より、所要長さに切断された印字済みの用紙を載置させるものとしてスタッカがある。このスタッカは、たとえば、印字装置を構成する筐体に取付部を形成しておき、その取付部を介して取り付けられるように別部材構成となっている。
【０００３】
また、印字済みの用紙を載置させるものとして、画像形成装置本体の下に、用紙トレイ（補助スタッカ）を引き出し可能に設け、その用紙トレイの先端に、起立位置と低位置とに揺動可能なストッパを設けたものがある。（例えば、特許文献１参照）。
【０００４】
【特許文献１】
特開平９−２９５７５０号公報  （第２頁、第２図）
【０００５】
【発明が解決しようとする課題】
しかしながら、上述した従来のスタッカは、下記の問題点がある。
まず前者のスタッカは、印字装置の筐体とは別個に設ける構成のため、ユーザー側として、印字装置の設置時や移動時において、スタッカを着脱する手間が生じたり、また、メーカー側として、筐体とスタッカを別個に梱包したりするなどの手間がかかり、利便性や経済性に問題点があった。
【０００６】
また、後者のスタッカは、所謂、引き出しタイプであるが、この種のタイプは、インクジェットプリンタ等の画像形成装置のように、印刷された用紙が装置下部に排出されるものでは有効的ではあるが、本発明にかかる印字装置のように、商品に貼付されるラベル等を発行する小型の印字装置においては、梱包装置等の他の装置との連係や作業性の向上を図る目的などによって、その印字された用紙の排出部が装置下部より、若干上方に位置させた構成となっている。この排出部より下方は、電源制御部等が主に内装されており、上方に位置させた、印字の実行等を行う印字手段と電気的に接続されている。
【０００７】
したがって、仮に、筐体の中途部にスタッカを引き出し可能に設けると、上述した電気的接続を確保するために、迂回部分を確保するなど、各構造部の配置を見直す必要が生じ極めて不経済である。
【０００８】
そこで本発明は、既存の印字手段の内部配置を変更することなく、しかも、スタッカを着脱させる手間や、筐体とスタッカを別個に梱包したりするなどの手間を生じさせることなく、容易にかつ簡単に、印字された用紙を載置することができる印字装置を提供することを目的とする。
【０００９】
【課題を解決するための手段】
上記課題を解決するために本発明にかかる印字装置は、下記の技術的手段を講じた。
すなわち、請求項１にかかる印字装置は、印字を実行し印字された用紙を排出する排出部を有した印字手段と前記印字手段を被装する筐体とを備えた印字装置において、前記排出部近傍の前記筐体の排出面を、外側に向かって開閉可能に構成して、排出された用紙を外部で載置させるスタッカとしたことを特徴とする。
請求項２にかかる印字装置は、請求項１において、前記スタッカは、前記排出面の一部を切欠いて形成した開口部の、その近傍に一対の係合凹部を設けると共に、前記開口部を閉塞可能な所要の大きさの板状の基部両側面に前記係合凹部と係合可能な係合凸部が突設され閉塞状態から外側に向かって所要角度回動可能に前記係合凹部に枢着されたトレイと、前記トレイに沿って平行に収納および起立可能に前記先部に枢着され排出された用紙を揃えるストッパと、を備えてなることを特徴する。
請求項３にかかる印字装置は、請求項２において、前記係合凸部は、外観視略方形状を呈すると共に、前記係合凹部は、前記係合凸部を遊嵌して前記トレイを上下方向にスライド可能及び回動可能に形成された所要幅の第１係合凹部と、前記第１係合凹部から連続するように高さ方向に亘って複数横設され前記係合凸部と係合させて前記トレイを所要の高さでもって突出保持させる第２係合凹部とで構成されたことを特徴とする。
請求項４にかかる印字装置は、請求項２または３において、前記ストッパは、前記トレイを跨ぐように外観視略門型状に形成されその突出した基部に前記トレイと係合する枢軸を設けてなると共に、前記トレイは、該両側面に前記枢軸と係合し起立状態の前記ストッパを前記トレイの先部から基部に亘ってスライド可能に案内・保持すると共に前記トレイの先部で前記トレイに沿って平行に収納可能なスライド溝を設けてなることを特徴とする。
【００１０】
【発明の実施の形態】
次に、本発明の実施の形態を添付図面に基づいて説明をする。本実施の形態にかかる印字装置は、筐体の排出面を外側に向かって開閉可能に構成して，排出された用紙を外部で載置させるスタッカとした、極めて好適なものを例示しており、図１〜図５は実施の形態１を、図６〜図９は実施の形態２を夫々示す。
【００１１】
（実施の形態１）
実施の形態１にかかる印字装置は、筐体１と、印字手段３とを備えて構成される。
筐体１は、図１に示すように、筐体本体１１と、スタッカ部１２と、を備えてなる。
【００１２】
筐体本体１１は、印字処理や用紙排出等を行う印字手段３を被装可能な外観視略方形体状を呈しており、その印字手段３から印字処理された用紙Ｐが外部へ排出されるように筐体本体１１の一部を切欠いて開口部１１ａが形成されていると共に、開口部１１ａ左端部から筐体１内方向へ折り曲げ形成された突片１１ｂと筐体本体１１右側面との所要位置に、後述するトレイ１２１を枢着させる係合凹部１１ｃが、その開口部１１ａを挟んで対向するように一対設けられている。
【００１３】
この係合凹部１１ｃは、図２に示すように、下面が外側に向かって漸次低くなるような所要の傾斜角でもって形成され上下方向に所要長さ伸びた所要幅の第１係合凹部１１ｄと、その第１係合凹部１１ｄの下面の傾斜角でもって外側に向かって横設された所要幅の第２係合凹部１１ｅとで構成され、その第２係合凹部１１ｅは、第１係合凹部１１ｄの下面と連続するように横設される共に第１係合凹部１１ｄの中途部に横設されて二カ所に設けられている。
【００１４】
また、この係合凹部１１ｃの下方の筐体本体１１底面上には、後述するトレイ１２１が開口部１１ａを閉塞するように収納される際に、そのトレイ１２１の先部１２ｉを支持してトレイ１２１を保持させる側面視略Ｌ字状に形成された係止部１１ｆが突設されている。なお、この係止部１１ｆの支持面高さは、後述するストッパ１２２の突設部１２ｈ長さと同じ長さになっている。
【００１５】
この係合凹部１１ｃの筐体本体１１における配設位置は、後述するトレイ１２１が、上段の第２係合凹部１１ｅに係合された際に、印字手段３の排出部Ｂが上方となるような所要の位置に配設されている。この印字手段３における排出部Ｂとは、後述するカット部３１ｉ直後の位置をいう（図５参照）。
なお、この係合凹部１１ｃは、開口部１１ａ左端部と同様に、開口部１１ａ右端部から筐体本体１１内方向へ折り曲げて形成した突片１１ｂを設けて、その突片１１ｂ内に設けても良い。
【００１６】
スタッカ部１２は、図３に示すように、トレイ１２１と、ストッパ１２２とを備えて構成される。
【００１７】
トレイ１２１は、上記した開口部１１ａを閉塞可能な所要の大きさの板状を呈し、その基部１２ａ両側面には、第２係合凹部１１ｅの高さ寸法より若干幅狭な所要の厚み寸法でもって形成されて、この第２係合凹部１１ｅと係合可能な係合凸部１２ｂが突設されている。また、先部１２ｉの両コーナー部上面には、ピン１３が挿嵌可能な第１孔部１２ｃを設けた軸受け部１２ｄが設けられている。
【００１８】
このように形成されたトレイ１２１は、係合凸部１２ｂが筐体本体１１に設けられた係合凹部１１ｃに係合されており、係合凸部１２ｂが第１係合凹部１１ｄに位置したときにトレイ１２１が外側に向かって回動可能および上下方向にスライド可能になると共に、係合凸部１２ｂが第２凹部に位置したときにトレイ１２１が所要の傾斜角度でもって保持されるようになっている。尚、突片１１ｂには、係合凹部１１ｃと同様な構成が設けられている。
【００１９】
ストッパ１２２は、軸受け部１２ｄ間に収納可能な所要の幅でもって外観視略帯板状を呈しており、その基部１２ｅの幅方向両側面にピン１３が遊嵌可能な第２孔部１２ｆが設けられていると共に、その第２孔部１２ｆより下方が略逆Ｌ字状に形成されて段部１２ｇと突設部１２ｈが設けられている。また、この段部１２ｇは円弧状に形成されて、回動する際にトレイ１２１と干渉しないようになっている。
【００２０】
このように形成されたストッパ１２２は、トレイ１２１の先部１２ｉ側面に突設部１２ｈが当接するように、かつ、トレイ１２１先部１２ｉの上面に段部１２ｇが載置されるように、トレイ１２１の軸受け部１２ｄ間に係合されると共に、軸受け部１２ｄの第１孔部１２ｃと基部１２ｅの幅方向両側面に設けられた第２孔部１２ｆとに連通するようにピン１３が挿嵌されて、折り畳み可能になっている。
【００２１】
印字手段３は、印字機構部３１と、機構制御部３２とを備えて構成される。
【００２２】
印字機構部３１は、巻回された帯状の用紙Ｐを支持した用紙供給軸部３１ａと、巻回されたインクリボン３１ｂを回転可能に支持し繰り出されたインクリボン３１ｂを巻き取り可能に構成されたインクリボン機構部３１ｃと、回転駆動可能なプラテンローラ３１ｄとサーマルヘッド３１ｅとを備え繰り出されたインクリボン３１ｂと用紙Ｐとを密着させて熱転写印字を実行する印字部３１ｆと、その印字部３１ｆに用紙供給軸部３１ａから繰り出された用紙Ｐを案内する案内ローラ３１ｇと、案内ローラ３１ｇと印字部３１ｆとの間に設けられ用紙Ｐの繰り出しピッチを検出するピッチセンサ３１ｈと、印字データに基づいて繰り出された用紙Ｐにインクリボン３１ｂを用いて熱転写印字したものをカットするカット部３１ｉとを備えて構成される。
【００２３】
機構制御部３２は、商用電源の電圧から所要の電圧に変換させ後述する制御基板や繰り出しモータ等に電源供給を行う電源ユニットと、筐体本体１１外面に設けられた操作表示部からの各種入力に基づいて印字機構部を駆動制御させる所要の回路が実装された制御基板とを備えて構成され、上述したカット部３１ｉより下方に設けられている。
【００２４】
以上のように構成された印字手段３は、用紙供給軸部３１ａから繰り出された用紙Ｐに印字を実行し、印字された用紙Ｐを所定長さに切断して排出部Ｂから排出されるようになっている。
【００２５】
以上のように構成された実施の形態１にかかる印字装置は、印字手段３の排出部Ｂ近傍の筐体１の排出面が、外側に向かって開閉可能に構成されてスタッカとしての機能を有しており、図４に示すように、ストッパ１２２をトレイ１２１と平行となるように回動させると共に、トレイ１２１の係合凸部１２ｂを筐体本体１１の第１係合凹部１１ｄ内に位置させてトレイ１２１が鉛直方向を向くように回動させ、トレイ１２１の先部１２ｉを筐体本体１１に突設された係止部１１ｆに支持させて、筐体本体１１の開口部１１ａを閉塞するように収納する。
【００２６】
そして、印字を行うとき等、スタッカ機能を利用する場合は、この収納状態のトレイ１２１をやや持ち上げながら手前に回動させ、所望する高さの第２係合凹部１１ｅへ係合凸部１２ｂをスライドさせて係止させる共にストッパ１２２を起立させる（図２参照）。
【００２７】
このようにして所望した高さでもって、かつ、所要の傾斜角度でもって突出保持されたトレイ１２１上に、印字手段３の排出部Ｂから所定長さに切断された印字済みの用紙Ｐが排出されストッパ１２２に当接して載置される。この排出動作が所望数行われてトレイ１２１上に印字済みの用紙Ｐが積層される。
【００２８】
（実施の形態２）
実施の形態２にかかる印字装置は、実施の形態１で例示した筐体１の他の態様を例示したもので、実施の形態１と共通する構成は、同一符号を付して説明を省略する。
【００２９】
実施の形態２にかかる筐体２は、図６に示すように、筐体本体１１と、スタッカ部２１と、を備えて構成され、ストッパ２１２をトレイ２１１の先部２１ｃから基部２１ａに亘ってスライド可能に案内・保持させたものを例示している。
【００３０】
スタッカ部２１は、トレイ２１１とストッパ２１２とを備えて構成される。
【００３１】
トレイ２１１は、筐体本体１１に開口された開口部１１ａを略閉塞可能な所要の大きさの板状を呈し、その基部２１ａ両側面には、第２係合凹部１１ｅの高さ寸法より若干幅狭な所要の厚み寸法でもって形成されて、この第２係合凹部１１ｅと係合可能な係合凸部２１ｂが突設されている。また、先部２１ｃの両コーナー部上面には所要高さの凸部２１ｄが設けられると共に、その凸部２１ｄ側面上部と基部２１ａ近傍のトレイ２１１側面との間に亘ってピン２２と係合するスライド溝２１ｅが凹設されている。
【００３２】
さらに、このトレイ２１１の幅方向中央部には基部２１ａ近傍から先部２１ｃに亘って、ガイドスリット２１ｆが設けられている。このガイドスリット２１ｆの開放先端部２１ｇは、大きく面取り形成されており、トレイ２１１と係合させた後述するストッパ２１２が回動する際に、ストッパ２１２に螺合したボルト２３がトレイ２１１に干渉しないようになっている。
【００３３】
このように形成されたトレイ２１１は、実施の形態１と同様に、係合凸部２１ｂが筐体本体１１に設けられた係合凹部１１ｃに係合されており、係合凸部２１ｂが第１係合凹部１１ｄに位置したときにトレイ２１１が外側に向かって回動可能および上下方向にスライド可能になると共に、係合凸部２１ｂが第２係合凹部１１ｅに位置したときにトレイ２１１が所要の傾斜角度でもって保持されるようになっている。
【００３４】
ストッパ２１２は、図７に示すように、トレイ２１１を跨ぐように外観視略門型状に形成され、その突出した突出部２１ｈにピン２２が挿嵌される第３孔部２１ｉが設けられている。この突出部２１ｈの基端には、突出部２１ｈ間の底面２１ｊより更に深く方形状に凹設された逃げ溝２１ｋが形成されると共に、この突出部２１ｈ間の底面２１ｊが円弧状に形成されて、ストッパ２１２が回動する際にトレイ２１１と干渉しないようになっている。
【００３５】
このように形成されたストッパ２１２は、第３孔部２１ｉを介してスライド溝２１ｅにピン２２が係合するように挿嵌されると共に、ガイドスリット２１ｆを介してストッパ２１２下面中央にボルト２３が螺合されてトレイ２１１を挟持可能になっており、トレイ２１１の基部２１ａ方向に向かってストッパ２１２がトレイ２１１に沿って平行に収納可能、かつ、起立可能に枢着されると共に、基部２１ａと先部２１ｃとの間の任意の位置に起立状態で固定可能になっている。
【００３６】
以上のように構成された実施の形態２にかかる筐体２は、実施の形態１にかかる筐体１と同様に、印字手段３の排出部Ｂ近傍の筐体２の排出面が、外側に向かって開閉可能に構成されてスタッカとしての機能を有しており、図９に示すように、ボルト２３を緩めて凸部２１ｄに位置させたストッパ２１２をトレイ２１１と平行となるように回動させると共に、トレイ２１１の係合凸部２１ｂを筐体本体１１の第１係合凹部１１ｄ内に位置させてトレイ２１１が鉛直方向を向くように回動させ、トレイ２１１の先部２１ｃを筐体本体１１に突設された係止部１１ｆに支持させて、筐体本体１１の開口部１１ａを略閉塞するように収納する。
【００３７】
そして、印字を行うとき等、スタッカ機能を利用する場合は、この収納状態のトレイ２１１をやや持ち上げながら手前に回動させ、所望する高さの第２係合凹部１１ｅへ係合凸部２１ｂをスライドさせて係止させる共に、ボルト２３を緩めてストッパ２１２を起立させる。そして、所望する任意の位置までストッパ２１２をスライドさせボルト２３を締めてトレイ２１１にストッパ２１２を固定させる（図８参照）。
【００３８】
このようにして所望した高さでもって、かつ、所要の傾斜角度でもって突出保持されたトレイ２１１上に、印字手段３の排出部Ｂから所定長さに切断された印字済みの用紙Ｐが排出されストッパ２１２に当接して載置される。この排出動作が所望数行われてトレイ２１１上に印字済みの用紙Ｐが積層される。
【００３９】
以上、本実施の形態にかかる印字装置を説明したが、上述した実施の形態は、本発明の好適な実施の形態の一例を示すものであり、本発明はそれに限定されるものではなく、その要旨を逸脱しない範囲内において、種々変形実施が可能である。
【００４０】
【発明の効果】
本発明によれば、筐体の排出面を、外側に向かって開閉可能に構成して排出された用紙を外部で載置させるスタッカとしたから、既存の印字手段の内部配置を変更することなく、しかも、スタッカを着脱させる手間や、筐体とスタッカを別個に梱包したりするなどの手間を生じさせることなく、容易にかつ簡単に、印字された用紙を載置することができる印字装置を提供することができる。
【００４１】
また、トレイの高さ位置を変更可能に構成したから、印字枚数に応じて適宜、最適なトレイ位置に調整できる。
さらに、ストッパをトレイの長さ方向の任意の位置に固定可能に構成して、印字された用紙の長さが変わっても用紙の位置決めが可能となるから、複数枚の印字済みの用紙が、常に整った積層状態を形成することでき利便性を向上することができる。
【図面の簡単な説明】
【図１】トレイを突出させた状態の実施の形態１にかかる印字装置の斜視図である。
【図２】同、図１におけるＡ−Ａ縦断面図である。
【図３】同、スタッカ部の分解斜視図である。
【図４】同、スタッカ部の収納状態時の縦断面図である。
【図５】印字手段の概略を示した説明図である。
【図６】トレイを突出させた状態の実施の形態２にかかる印字装置の部分斜視図である。
【図７】同、スタッカ部の縦断面図である。
【図８】同、スタッカ部の突出状態時の縦断面図である。
【図９】同、スタッカ部の収納状態時の縦断面図である。
【符号の説明】
１，２  筐体
１１ａ  開口部
１１ｂ  突片
１１ｃ  係合凹部
１１ｄ  第１係合凹部
１１ｅ  第２係合凹部
１２、２１  スタッカ部
１２１、２１１  トレイ
１２ｉ、２１ｃ  先部（トレイの）
１２ａ、２１ａ  基部（トレイの）
１２ｂ、２１ｂ  係合凸部
１２２、２１２  ストッパ
２１ｅ  スライド溝
１２ｅ  基部（ストッパの）
１３、２２ピン（枢軸）
３  印字手段
Ｂ  排出部
Ｐ  用紙
【図１】
2005015189.tif 000003
【図２】
2005015189.tif 000004
【図３】
2005015189.tif 000005
【図４】
2005015189.tif 000006
【図５】
2005015189.tif 000007
【図６】
2005015189.tif 000008
【図７】
2005015189.tif 000009
【図８】
2005015189.tif 000010
【図９】
2005015189.tif 000011